(57)【要約】【課題】防水性及び強度を確保しつつ組み付けが容易に行える防水ケースを提供すること。【解決手段】周縁部に沿って枠状に周回かつ突出した凸部１１を有するとともに、凸部１１の領域にネジ孔１２を有する第１ケース１０と、第１ケース１０における凸部１１の内部を覆うように組み付けられる第２ケース２０と、第１ケース１０の凸部１１と第２ケース２０との間に介在するパッキン４０と、第２ケース２０を第１ケース１０のネジ孔１２に締結するとともに、パッキン４０を第１ケース１０及び第２ケース２０に圧接させるネジ３０と、を備え、凸部１１は、第２ケース２０と対向する頂面に溝部１３を有し、溝部１３は、ネジ孔１２を囲むように形成され、パッキン４０は、溝部１３に装入されるとともに、ネジ孔１２を囲むように一体形成される。【選択図】図２
2012185296.tif 000002
【特許請求の範囲】
【請求項１】
周縁部に沿って枠状に周回かつ突出した凸部を有するとともに、前記凸部の領域に複数のネジ孔を有する第１ケースと、
前記第１ケースにおける前記凸部の内部を覆うように組み付けられる第２ケースと、
前記第１ケースの前記周縁部に沿って枠状に周回するとともに、前記第１ケースの前記凸部と前記第２ケースとの間に介在するパッキンと、
前記第２ケースを前記第１ケースの前記ネジ孔に締結するとともに、前記パッキンを前記第１ケース及び前記第２ケースに圧接させる複数のネジと、
を備え、
前記凸部は、前記第２ケースと対向する頂面に溝部を有し、
前記溝部は、前記ネジ孔を囲むように形成され、
前記パッキンは、前記溝部に装入されるとともに、前記ネジ孔を囲むように一体形成されることを特徴とする防水ケース。
【請求項２】
前記パッキンは、弾性材料よりなることを特徴とする請求項１記載の防水ケース。
【請求項３】
前記第２ケースは、前記第１ケースの前記凸部の頂面の形状に対応するように形成されていることを特徴とする請求項１又は２記載の防水ケース。
【発明の詳細な説明】
【技術分野】
【０００１】
本発明は、内部に収納された部品を防水する防水ケースに関する。
【背景技術】
【０００２】
携帯電話機をはじめ多くの電気機器の防水性能を有する装置では、第１ケースと第２ケースとが合わさる外周縁部分の全周に渡って防水用のパッキンが介在し、第１ケースと第２ケースとをネジで締結することで、第１ケースと第２ケースとが合わさる部分からの水の浸入を防止する防水ケースが採用されており、防水ケースの内部に実装された電子部品を水から保護している（例えば、特許文献１参照）。
【先行技術文献】
【特許文献】
【０００３】
【特許文献１】実開平１−８７５８４号公報
【発明の概要】
【発明が解決しようとする課題】
【０００４】
しかしながら、従来の防水ケースでは、第１ケースと第２ケースとの間に防水用のパッキンが介在しているため、ネジの締め付けが緩ければ防水性が損なわれ、ネジの締め付けが強ければケースの歪により、落下時に、ケースの角部が破損しやすかった。また、従来の防水ケースでは、防水用のパッキンがネジ付近の一部で位置決めされているに過ぎないので、パッキンの正確な位置で容易に組み付けることが困難である。
【０００５】
本発明の主な課題は、防水性及び強度を確保しつつ組み付けが容易に行える防水ケースを提供することである。
【課題を解決するための手段】
【０００６】
本発明の一視点においては、防水ケースにおいて、周縁部に沿って枠状に周回かつ突出した凸部を有するとともに、前記凸部の領域に複数のネジ孔を有する第１ケースと、前記第１ケースにおける前記凸部の内部を覆うように組み付けられる第２ケースと、前記第１ケースの前記周縁部に沿って枠状に周回するとともに、前記第１ケースの前記凸部と前記第２ケースとの間に介在するパッキンと、前記第２ケースを前記第１ケースの前記ネジ孔に締結するとともに、前記パッキンを前記第１ケース及び前記第２ケースに圧接させる複数のネジと、を備え、前記凸部は、前記第２ケースと対向する頂面に溝部を有し、前記溝部は、前記ネジ孔を囲むように形成され、前記パッキンは、前記溝部に装入されるとともに、前記ネジ孔を囲むように一体形成されることを特徴とする。
【０００７】
本発明の前記防水ケースにおいては、前記パッキンは、弾性材料よりなることが好ましい。
【０００８】
本発明の前記防水ケースにおいては、前記第２ケースは、前記第１ケースの前記凸部の頂面の形状に対応するように形成されていることが好ましい。
【発明の効果】
【０００９】
本発明によれば、パッキンがケースの角部のネジ孔を囲むように形成され、第２ケースがネジによって第１ケースに締結され第１ケースの溝部に装入されたパッキンと圧接することで、ケースの防水性及び強度を確保することができる。また、パッキンがネジ孔を囲む部分も含めて一体形成され、かつ、第１ケースの溝部に装入されることで、パッキンの位置決めが確実に行えるので、組み付け作業を容易に行うことができる。さらに、パッキンが防水かつ衝撃緩衝効果の役目をはたすため、部品点数が減少し、コストを低減させることができる。
【図面の簡単な説明】
【００１０】
【図１】本発明の実施例１に係る防水ケースにおける第１ケース及びパッキンの構成の構成を模式的に示した部分斜視図である。
【図２】本発明の実施例１に係る防水ケースの構成を模式的に示した図１のＸ−Ｘ´間の部分断面図である。
【図３】本発明の実施例１に係る防水ケースの構成を模式的に示した図１のＹ−Ｙ´間の部分断面図である。
【発明を実施するための形態】
【００１１】
本発明の実施形態に係る防水ケースでは、周縁部に沿って枠状に周回かつ突出した凸部（図２の１１）を有するとともに、前記凸部の領域に複数のネジ孔（図２の１２）を有する第１ケース（図２の１０）と、前記第１ケースにおける前記凸部の内部を覆うように組み付けられる第２ケース（図２の２０）と、前記第１ケースの前記周縁部に沿って枠状に周回するとともに、前記第１ケースの前記凸部と前記第２ケースとの間に介在するパッキン（図２の４０）と、前記第２ケースを前記第１ケースの前記ネジ孔に締結するとともに、前記パッキンを前記第１ケース及び前記第２ケースに圧接させる複数のネジ（図２の３０）と、を備え、前記凸部は、前記第２ケースと対向する頂面に溝部（図２の１３）を有し、前記溝部は、前記ネジ孔を囲むように形成され、前記パッキンは、前記溝部に装入されるとともに、前記ネジ孔を囲むように一体形成される。
【００１２】
なお、本出願において図面参照符号を付している場合は、それらは、専ら理解を助けるためのものであり、図示の態様に限定することを意図するものではない。
【実施例１】
【００１３】
本発明の実施例１に係る防水ケースについて図面を用いて説明する。図１は、本発明の実施例１に係る防水ケースにおける第１ケース及びパッキンの構成の構成を模式的に示した部分斜視図である。図２は、本発明の実施例１に係る防水ケースの構成を模式的に示した図１のＸ−Ｘ´間の部分断面図である。図３は、本発明の実施例１に係る防水ケースの構成を模式的に示した図１のＹ−Ｙ´間の部分断面図である。
【００１４】
防水ケース１は、内部に実装（収納）された部品（例えば、電子部品；図示せず）を防水するケースである。防水ケース１は、第１ケース１０と、第２ケース２０と、ネジ３０と、パッキン４０と、を備える。
【００１５】
第１ケース１０は、内部に実装（収納）された部品の片側を覆うケースである。第１ケース１０には、樹脂や鋳物を用いることができる。第１ケース１０は、第２ケース２０側の面における外周縁部から第２ケース２０に向かって突出した凸部１１を有する。凸部１１は、第１ケース１０の平面方向から見て、第１ケース１０の外周縁部に沿って枠状に周回している。凸部１１は、第１ケース１０の角部の近傍にて、第２ケース２０側から差し込まれたネジ３０と螺合するネジ孔１２を有する。凸部１１は、第２ケース２０と対向する頂面に溝部１３を有する。溝部１３は、第１ケース１０の平面方向から見て、凸部１１と同様に枠状に形成されており、ネジ孔１２付近では、ネジ孔１２を囲むように形成されている。溝部１３には、パッキン４０が装入される。第１ケース１０は、凸部１１が配された領域よりも内側の領域に貫通した窓部１４を有する。窓部１４は、例えば、蓋（図示せず）を着脱可能に取り付けたり、クリアパネル（図示せず）が固定されたりする。
【００１６】
第２ケース２０は、内部に実装（収納）された部品の第１ケース１０とは反対側を覆うケースである。第２ケース２０には、樹脂や鋳物を用いることができる。第２ケース２０は、第１ケース１０側の面における外周縁部から第１ケース１０に向かって突出した凸部２１を有する。凸部２１は、第１ケース１０の凸部１１よりも外側に配され、第２ケース２０の平面方向から見て、第２ケース２０の外周縁部に沿って枠状に形成されている。第２ケース２０は、第１ケース１０のネジ孔１２と対応する位置にネジ３０のネジ部を挿通するための貫通孔２２を有する。ネジ３０の頭部が収容されるように形成してもよい。第２ケース２０は、ネジ３０によって第１ケース１０に締結される。第２ケース２０の内側の面は、第１ケース１０の凸部１１の頂面の形状に対応するように形成されている。また、第２ケース２０の内側の面は、第２ケース２０がネジ３０によって第１ケース１０に締結されることで第１ケース１０の溝部１３に装入されたパッキン４０と圧接する。
【００１７】
ネジ３０は、第２ケース２０を第１ケース１０に締結するための部材である。ネジ３０のネジ部は、第２ケース２０の貫通孔２２に挿通され第１ケース１０のネジ孔１２と螺合する。ネジ３０は、第２ケース２０を第１ケース１０に締結することで、パッキン４０を第１ケース１０及び第２ケース２０に圧接させる。
【００１８】
パッキン４０は、第１ケース１０と第２ケース２０との間に介在した防水用かつ衝撃緩衝用の弾性部材である。パッキン４０は、第１ケース１０の溝部１３に装入され、第１ケース１０及び第２ケース２０と圧接する。パッキン４０は、第１ケース１０の平面方向から見て、第１ケース１０の溝部１３に沿っては枠状に周回するとともに、ネジ孔１２を囲むように形成されている。パッキン４０は、ネジ孔１２を囲む部分も含めて一体形成されている。
【００１９】
実施例１によれば、パッキン４０がケースの角部のネジ孔１２を囲むように形成され、第２ケース２０がネジ３０によって第１ケース１０に締結され第１ケース１０の溝部１３に装入されたパッキン４０と圧接することで、ケースの防水性及び強度を確保することができる。また、パッキン４０がネジ孔１２を囲む部分も含めて一体形成され、かつ、第１ケース１０の溝部１３に装入されることで、パッキン４０の位置決めが確実に行えるので、組み付け作業を容易に行うことができる。さらに、パッキン４０が防水かつ衝撃緩衝効果の役目をはたすため、部品点数が減少し、コストを低減させることができる。
【００２０】
なお、本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【００２１】
１  防水ケース
１０  第１ケース
１１  凸部
１２  ネジ孔
１３  溝部
１４  窓部
２０  第２ケース
２１  凸部
２２  貫通孔
３０  ネジ
４０  パッキン
【図１】
2012185296.tif 000003
【図２】
2012185296.tif 000004
【図３】
2012185296.tif 000005